(57)【要約】      （修正有）【課題】精度よくシート後端を揃えることができるシート処理装置、画像形成装置、及びシート処理方法を提供する。【解決手段】シート処理装置１００は、搬送されたシートｓに対して所定の出力加工処理を行う装置であって、搬送されたシートｓを積載する処理トレイ４と、処理トレイ４に積載されるシート端部が当接する面とシート端部を押さえる面５ｂとを備えた端部整合手段５ａと、シート後端の高さを検知する後端高さ検知手段１１と、端部整合手段５ａを駆動する駆動手段７と、後端高さ検知手段１１による検知情報に基づき、駆動手段７を制御する制御手段と、を備え、制御手段が、検知されたシート後端の高さに応じて駆動手段７を制御し、端部整合手段５ａを処理トレイ４のシート積載面に対して垂直に移動させ、シート積載面とシート端部を押さえる面５ｂとの間の高さを可変制御することを特徴とする。【選択図】図１
2011093632.tif 000002
【特許請求の範囲】
【請求項１】
搬送されたシートに対して所定の出力加工処理を行うシート処理装置であって、
搬送されたシートを積載する処理トレイと、
前記処理トレイに積載されるシート端部が当接する面とシート端部を押さえる面とを備えた端部整合手段と、
前記シート後端の高さを検知する後端高さ検知手段と、
前記端部整合手段を駆動する駆動手段と、
前記後端高さ検知手段による検知情報に基づき、前記駆動手段を制御する制御手段と、を備え、
前記制御手段は、
検知されたシート後端の高さに応じて前記駆動手段を制御し、前記端部整合手段を前記処理トレイのシート積載面に対して垂直に移動させ、前記シート積載面と前記シート端部を押さえる面との間の高さを可変制御することを特徴とするシート処理装置。
【請求項２】
前記制御手段は、
検知されたシート後端の高さ、及びシート後端に生じるカール量から想定された前記シート積載面と前記シート端部を押さえる面との間の高さを制御するための複数の制御値に基づき、前記駆動手段を制御することを特徴とする請求項１に記載のシート処理装置。
【請求項３】
前記制御手段は、
前記シート積載面と前記シート端部を押さえる面との間の高さが、
検知されたシート後端の高さに基づき決定された制御値、処理対象であるシートの厚み、及び処理単位であるシートの枚数から算出された高さとなるように、前記駆動手段を制御することを特徴とする請求項１又は２に記載のシート処理装置。
【請求項４】
前記端部整合手段が備えるシート端部を押さえる面は、
後続のシートが搬送され、前記制御手段の制御による前記端部整合手段の移動時に、
前記処理トレイに積載された先行のシート端部を押さえる押圧部材を備えることを特徴とする請求項１ないし３のいずれか一項に記載のシート処理装置。
【請求項５】
前記端部整合手段が、
複数箇所に備えられていることを特徴とする請求項１ないし４のいずれか一項に記載のシート処理装置。
【請求項６】
前記駆動手段は、
ステッピングモータであることを特徴とする請求項１ないし５のいずれか一項に記載のシート処理装置。
【請求項７】
請求項１ないし６のいずれか一項に記載のシート処理装置を備えたことを特徴とする画像形成装置。
【請求項８】
搬送されたシートに対して所定の出力加工処理を行うシート処理装置におけるシート処理方法であって、
搬送されたシートの後端の高さを検知する後端高さ検知手順と、
処理トレイに積載されるシート端部が当接する面とシート端部を押さえる面とを備えた端部整合部を、前記後端高さ検知手順により検知されたシート後端の高さに応じて、前記処理トレイのシート積載面に対して垂直に移動させ、前記シート積載面と前記シート端部を押さえる面との間の高さを可変制御する制御手順と、を有することを特徴とするシート処理方法。
【発明の詳細な説明】
【技術分野】
【０００１】
本発明は、シート処理装置及びシート処理装置を備える画像形成装置に関し、特に、シートの後端を揃える技術に関するものである。
【背景技術】
【０００２】
現在では、コピー、プリンタ、ファクシミリと言った画像形成装置から出力されるシートに対して、ステープル（端綴じ）やパンチ（端穴）などの出力加工処理を行うシート処理装置が知られている。
【０００３】
例えば、ステープラ（端綴じ部）を備えたシート処理装置では、ステープルを行う処理トレイに傾斜を設け、自重により処理対象のシート（画像形成後の用紙）後端を揃える技術が知られている。
【０００４】
このようなシート処理装置を機器外部に連結するのではなく機器内に備える装置では、装置の小型化を実現するために、上記技術を採用することができず、別の構成でシート後端を精度良く揃える技術が求められる。
【０００５】
ステープラを備えたシート処理装置は、画像形成後に出力されたシートを順に受け入れて整合を行った後に、ジョブごとにステープル処理を行っている。このとき、出力されたシートは、画像形成段階における定着処理が行われている（画像形成装置が備える定着ユニットを通過している）。そのため、シート処理装置により受け取ったシートは、熱や加圧による定着処理によってカールが生じる。この状態でステープル処理を行うと、カールの影響で、結束したシート束の端部に不揃いが生じる。
【０００６】
そこで、例えば、特許文献１には、シートの積載・整合性を向上させることを目的として、シートを積載・整合・後処理する処理トレイ上にカール検知手段と、シート引き込み手段とを設け、カール検知手段により検知されたシートのカール量に応じて、シート間でシート引き込み手段をカールつぶし手段として作動させるシート処理装置が開示されている。
【発明の概要】
【発明が解決しようとする課題】
【０００７】
しかしながら、従来の技術では、シート端部の揃え精度が悪いと言う問題があった。
例えば、特許文献１に開示されるシート処理装置では、検出したカール量に応じて、所定の制御を行う構成となっている。より具体的には、次の通りである。特許文献１に開示されるシート処理装置では、カール検知手段により、生じたカールの高さが所定の高さより高いか低いかを検知する。その結果、所定の高さより高い場合には、押さえ部材によりシート後端を押さえ、所定の高さより低い場合には、押さえ部材を退避させる。
【０００８】
このように、従来の技術では、シート後端を整合する処理において、シート後端にカールが生じているにもかかわらず、カールの高さが所定の高さより低い場合、生じたカールを抑制する動作が行われないため、シート処理におけるシート後端の揃え精度が落ちてしまうことが考えられる。
【０００９】
本発明は上記従来技術の問題点を鑑み提案されたものであり、その目的とするところは、精度よくシート後端を揃えることができるシート処理装置、画像形成装置、及びシート処理方法を提供することにある。
【課題を解決するための手段】
【００１０】
上記目的を達成するため、本発明に係るシート処理装置は、搬送されたシートに対して所定の出力加工処理を行うシート処理装置であって、搬送されたシートを積載する処理トレイと、前記処理トレイに積載されるシート端部が当接する面とシート端部を押さえる面とを備えた端部整合手段と、前記シート後端の高さを検知する後端高さ検知手段と、前記端部整合手段を駆動する駆動手段と、前記後端高さ検知手段による検知情報に基づき、前記駆動手段を制御する制御手段と、を備え、前記制御手段が、検知されたシート後端の高さに応じて前記駆動手段を制御し、前記端部整合手段を前記処理トレイのシート積載面に対して垂直に移動させ、前記シート積載面と前記シート端部を押さえる面との間の高さを可変制御することを特徴とする。
【００１１】
このような構成によって、本発明に係るシート処理装置は、シート後端のカール量を検知する。シート処理装置は、検知情報に基づき、処理トレイに積載されるシート端部が当接する面（シート端部当接面）とシート端部を押さえる面（シート端部押さえ面）とを備えた端部整合手段を、処理トレイのシート積載面に対して垂直に移動させ（上下動させ）、シート積載面とシート端部押さえ面との間の高さ（開放量）を可変制御する。
【００１２】
これによって、本発明に係るシート処理装置は、精度よくシート後端を揃えることができる。
【００１３】
上記目的を達成するため、本発明に係るシート処理方法は、搬送されたシートに対して所定の出力加工処理を行うシート処理装置におけるシート処理方法であって、搬送されたシートの後端の高さを検知する後端高さ検知手順と、処理トレイに積載されるシート端部が当接する面とシート端部を押さえる面とを備えた端部整合部を、前記後端高さ検知手順により検知されたシート後端の高さに応じて、前記処理トレイのシート積載面に対して垂直に移動させ、前記シート積載面と前記シート端部を押さえる面との間の高さを可変制御する制御手順と、を有している。
【００１４】
このような手順によって、本発明に係るシート処理方法は、シート後端を整合する処理において、シート後端のカール量を検知し、その検知情報に基づき、処理トレイのシート積載面と端部整合部のシート端部押さえ面との間の高さ（開放量）を可変制御すると言う動作を実現する。
【００１５】
これによって、本発明に係るシート処理方法は、精度よくシート後端を揃えることが可能なシート処理機構を提供できる。
【発明の効果】
【００１６】
本発明によれば、シート後端を整合する処理において、シート後端のカール量を検知し、その検知情報に基づき、処理トレイのシート積載面と端部整合部のシート端部押さえ面との間の高さ（開放量）を可変制御する構成とすることで、精度よくシート後端が揃えられるシート処理装置、画像形成装置、及びシート処理方法を提供することができる。
【図面の簡単な説明】
【００１７】
【図１】本発明の第１の実施形態に係るシート処理装置のハードウェア構成例を示す図である。
【図２】本発明の第１の実施形態に係るシート処理装置が有するシート後端整合機構の構成例を示す図である。
【図３】本発明の第１の実施形態に係る後端高さ検知センサの一例を示す図である。
【図４】本発明の第１の実施形態に係るシート後端の高さを検知する動作例を示す図である。
【図５】本発明の第１の実施形態に係るシート後端整合機能の構成例を示す図である。
【図６】本発明の第１の実施形態に係るシート後端の整合処理を含むシート処理手順例を示すフローチャートである。
【図７】本発明の第１の実施形態に係るシート後端を整合する動作例（その１）を示す図である。
【図８】本発明の第１の実施形態に係る処理トレイがシートを積載する面（シート積載面）とシート端部を押さえる面（押さえ面）との間の高さ（開放量）を可変する動作例を示す図である。
【図９】本発明の第１の実施形態に係るシート後端を整合する動作例（その２）を示す図である。
【図１０】本発明の第１の実施形態に係るシート処理の動作例を示す図である。
【発明を実施するための形態】
【００１８】
以下、本発明の好適な実施の形態（以下「実施形態」と言う）について、図面を用いて詳細に説明する。
【００１９】
［第１の実施形態］
＜ハードウェア構成＞
図１は、本実施形態に係るシート処理装置１００のハードウェア構成例を示す図である。
図１には、シート処理装置１００の概略構成例を示す断面図が示されている。図１に示すように、シート処理装置１００は、搬送モータ（非図示）が駆動する駆動ローラと従動ローラとを備えた搬送ローラ対１により、シートｓを挟み搬送する。
【００２０】
入口センサ８により通過が検出され処理トレイ４上に搬送されたシートｓは、その搬送方向後端となるシート端部（以下「シート後端」と言う）を揃えるため、先端ローラ２ａによって搬送方向とは逆の端部ストッパ５ａ方向へと搬送される。このとき、シート寄せアーム２は、先端ローラ２ａをシートｓ上に当接させるため、駆動ソレノイド（非図示）のオン，オフによって支持軸２ｂを軸に回動する。
【００２１】
端部ストッパ５ａは、端部整合手段であり、当接する位置（シート端部当接面）まで搬送されたシート端部を押さえる押さえ面（シート端部押さえ面）５ｂを備えている。押さえ面５ｂの先端は、シート端部に生じたカールをスムーズに導くため、滑らかな形状となっている。さらに、押さえ面５ｂは、例えば、板バネなどの弾性部材である押圧部材６を備えており、後続シートを受け入れる際に、端部ストッパ５ａを開放した状態、すなわち、処理トレイ４のシート積載面と端部ストッパ５ａの押さえ面５ｂとの間が所定の高さ（所定の開放量）であってもシート端部が押さえられる構造となっている。これにより、端部ストッパ５ａの開放時でも、カールによる後端整合不良を防止できる。
【００２２】
また、端部ストッパ５ａは、押さえ面５ｂを上下駆動させる制御モータ７を備えている。端部ストッパ５ａの手前には、先端ローラ２ａによって、シートｓが端部ストッパ５ａへ搬送される際に、シート後端の高さを検知する後端高さ検知センサ１１（後端高さ検知手段）が備えられている。これによって、端部ストッパ５ａは、検知情報に基づき、押さえ面５ｂを上下（シート積載面に対して垂直）に移動させ、処理トレイ４のシート積載面と押さえ面５ｂとの間の高さ（開放量）を制御する。
【００２３】
ここで、上記端部ストッパ５ａ、制御モータ７、及び後端高さ検知センサ１１を含むシート後端整合機構の構成例について説明する。
【００２４】
図２は、本実施形態に係るシート処理装置１００が備えるシート後端整合機構の構成例を示す図である。
【００２５】
図２に示す構成例では、端部ストッパ５ａが２箇所に配置されている。この場合、端部ストッパ５ａには、次のような構成で駆動力が伝達される。例えば、ステッピングモータなどの制御モータ７は、ギヤ７ａを備え、軸１２は、ギヤ７ａに歯合して連動するギヤ１２ａ１を備えている。さらに、軸１２は、端部ストッパ５ａに駆動力を伝達するギヤ１２ａ２，１２ａ３を備えている。この構成によって、端部ストッパ５ａを上下動させることができ、シート端部を複数箇所押さえられることから、シート後端の揃え精度（整合精度）が向上する。
【００２６】
なお、端部ストッパ５ａの配置は、例えば、ステープル処理を行うステープラ（非図示）による綴じ位置（結束位置）を避けた位置とする。また、綴じ位置を避けていれば、端部ストッパ５ａは、２箇所以上に配置する構成であってもよい。また、制御モータ７にステッピングモータを用いることで、端部ストッパ５ａの上下動をより細かく行うことができる。つまり、シート積載面と押さえ面５ｂとの間の高さ（開放量）を、より細かく可変させることができる。このように、パルス制御が可能なステッピングモータを制御モータ７に用いることで、細かい制御が可能となり、シート後端の揃え精度（整合精度）が向上する。
【００２７】
また、図２（Ａ）には、後端高さ検知センサ１１を１箇所に配置した例が示されている。一方、図２（Ｂ）には、２箇所に配置した例が示されている。図２（Ｂ）に示すように、後端高さ検知センサ１１を２箇所に配置した場合には、例えば、後端高さ検知センサ１１から得られた２つの検知情報の比較結果に基づき、シート積載面と押さえ面５ｂとの間の高さ（開放量）を可変させてもよい。
【００２８】
図１の説明に戻る。端部が揃えられたシートｓは、処理トレイ４上で所定枚数の束となると、要求されたシート処理（例えば「ステープル処理」）される。処理されたシート束は、排紙モータ（非図示）により駆動される排紙ローラ３ａと、開口ソレノイド（非図示）により上下移動する排紙従動コロ３ｂとに挟まれて排紙トレイ９へと搬送される。
【００２９】
なお、図１に示す側部揃え部材１０は、シートｓの搬送方向に対して垂直となる横方向への移動が可能であり、シート端部の右端・左端を揃える部材である。これに対して、本実施形態に係る主要部は、シート処理を行うシート後端を揃えるものであり、側部揃え部材１０とシート右端・左端を揃える処理については、以下の説明では省略する。
【００３０】
次に、上記後端高さ検知センサ１１の詳細（設置位置、構成、部材、及び検知方法）について説明する。
【００３１】
図３は、本実施形態に係る後端高さ検知センサ１１の一例を示す図である。また、図４は、本実施形態に係るシート後端の高さを検知する動作例を示す図である。
【００３２】
《設置位置》
図３（Ａ）に示すように、後端高さ検知センサ１１は、端部ストッパ５ａと排紙従動コロ３ｂとの間で、起動時のシート寄せアーム２に接触しない位置に設置されている。
【００３３】
《構成》
図３（Ｂ）に示すように、後端高さ検知センサ１１は、センサ１１ａ、円盤１１ｂ、軸１１ｃ、振り子１１ｄ、及びストッパ１１ｅなどを備えている。
【００３４】
振り子１１ｄは、シートｓとの接触により、軸１１ｃを中心に一方向（本実施形態の場合、反時計回り）に回動する（図中の白抜き矢印を参照）。また、ストッパ１１ｅは、振り子１１ｄが逆方向（本実施形態の場合、時計回り）に回転しないように備えられている。
【００３５】
円盤１１ｂには、等角のスリットが設けられており、振り子１１ｄと一体となっている。また、円盤１１ｂは、軸１１ｃとは一体となっておらず、振り子１１ｄの回動により回転する。つまり、円盤１１ｂは、シートｓとの接触による振り子１１ｄの回動と連動して回転する。
【００３６】
センサ１１ａは、透過型のセンサであり、円盤１１ｂのスリットを検知する。なお、センサ１１ａは、例えば、図３（Ｄ）に示すように、スリットの代わりに白黒が交互に塗布された円盤１１ｂであれば、反射型のセンサでもよい。
【００３７】
また、図３（Ｂ）に示す振り子１１ｄは、処理トレイ４のシート積載面に対して垂直となるように設けられているが、例えば、図３（Ｃ）に示すように、シート接触時にスムーズに回動するように、シート積載面に対して垂直ではなく、ある角度を設けてもよい。この場合、逆方向に回動することがないため、ストッパ１１ｅが不要となる。
【００３８】
《部材》
後端高さ検知センサ１１が備える振り子１１ｄの部材には、振り子１１ｄがシートｓに接触することから、シートｓに負荷を与えない軽い樹脂材が好ましい。また、後端高さ検知センサ１１では、シート接触時に振り子１１ｄが変形すると、シート後端の高さを誤検知する恐れがあるため、変形しない程度の厚みを有する部材を用いることが条件となる。
【００３９】
《検知方法》
後端高さ検知センサ１１は、上記配置位置及び上記構成により、シート後端の高さを次のように検知する。
【００４０】
図４には、先端ローラ２ａにより、処理トレイ４上のシートｓを端部ストッパ５ａのシート端部当接面まで搬送する動作工程が段階的に示されている。具体的に図４（Ａ）には、振り子１１ｄにシートｓが接触する段階［１］、図４（Ｂ）には、接触後、シートｓの移動に伴い、振り子１１ｄがシート端部の高さまで押し上げられる段階［２］が示されている。続いて、図４（Ｃ）には、振り子１１ｄが押し上げられた位置から元の位置に戻る段階［３］、図４（Ｄ）には、振り子１１ｄが元の位置に戻った段階［４］が示されている。
【００４１】
上記段階［１］から［４］からも分かるように、後端高さ検知センサ１１では、シートｓが接触することで振り子１１ｄがシート端部の高さまで回動し、シート通過後に元の位置に戻ると言う特性から、その間の円盤１１ｂの回転をセンサ１１ａで検知する。このとき、センサ１１ａでは、例えば、図４（Ｅ）に示すようなパルスカウントにより、円盤１１ｂの回転を検知する。図４（Ｅ）には、上記各段階［１］から［４］におけるセンサ１１ａによるパルスカウントの様子が示されている。
【００４２】
なお、図４（Ａ）から（Ｄ）には、シート端部が上側にカール（フェイスカール）している場合の例を示したが、例えば、シート端部が下側にカール（バックカール）する場合も同様である。
【００４３】
＜シート後端整合機能＞
ここからは、本実施形態に係るシート後端整合機能について説明する。
【００４４】
本実施形態に係るシート処理装置１００では、シート後端のカール量を検知する。シート処理装置１００は、検知情報に基づき、処理トレイ４に積載されるシート端部が当接する面（シート端部当接面）とシート端部を押さえる押さえ面５ｂとを備えた端部ストッパ５ａ（端部整合手段）を、処理トレイ４のシート積載面に対して垂直に移動させ（上下動させ）、シート積載面と端部ストッパ５ａの押さえ面５ｂとの間の高さ（開放量）を可変制御する。シート処理装置１００は、このようなシート後端整合機能を有している。
【００４５】
例えば、従来の装置では、カール検知手段により、生じたカールの高さが所定の高さより高いか低いかを検知し、所定の高さより高い場合に、押さえ部材によりシート後端を押さえ、所定の高さより低い場合には、押さえ部材を退避させる。
【００４６】
このように、従来の技術では、シート後端を整合する処理において、シート後端に所定の高さ以上のカールが生じなければ、カールを抑制する動作が行われないため、シート処理におけるシート後端の揃え精度が落ちてしまうことが考えられる。
【００４７】
そこで、本実施形態に係るシート処理装置１００では、シート後端を整合する処理において、シート後端のカール量を検知し、その検知情報に基づき、処理トレイ４のシート積載面と端部ストッパ５ａの押さえ面５ｂとの間の高さ（開放量）を可変制御する。
【００４８】
これによって、本実施形態に係るシート処理装置１００では、精度よくシート後端を揃えることができる。
【００４９】
以下に、上記シート後端整合機能の構成とその動作について説明する。
図５は、本実施形態に係るシート後端整合機能の構成例を示す図である。
図５に示すように、シート処理装置１００は、制御部１０１、検知部１０２、及び駆動部１０３などを有している。
【００５０】
制御部１０１は、シート処理装置１００の動作を制御する機能部である。制御部１０１は、例えば、ＣＰＵ（Central Processing Unit：中央処理装置）などが有する機能である。
【００５１】
検知部１０２は、シート処理装置１００の動作制御時に用いられる各種制御値を検知する機能部である。検知部１０２は、例えば、上述した入口センサ８及び後端高さ検知センサ１１などが有する機能である。
【００５２】
駆動部１０３は、シート処理装置１００を動作させるために各部を駆動する機能部である。駆動部１０３は、例えば、上述した搬送モータ、駆動ソレノイド、制御モータ７、排紙モータ、及び開口ソレノイドなどが有する機能である。
【００５３】
シート処理装置１００では、制御部１０１が、シート処理装置４に対して処理対象のシートｓを送り込む画像形成装置（上位装置）２００が有する制御部２０１からの制御情報（例えば「ステープル処理の実行要求」などの制御信号）に基づき、制御を開始する。続いて、シート処理装置１００では、検知部１０２から検知情報（例えば「シート後端の通過」や「シート端部の高さ」などの検知信号）を取得し、取得した検知情報に基づき、駆動部１０３を制御する。これにより、シート処理装置１００では、装置全体の動作が制御され、画像形成装置２００から要求されたシート処理が行われる。
【００５４】
このように、本実施形態に係るシート後端整合機能は、上記各機能部が連係動作することにより実現される。
【００５５】
次に、シート後端整合機能の詳細な動作（機能部群の連係動作）について、処理手順を示すフローチャートを用いて説明する。
【００５６】
上述したように、シート後端整合機能は、シート処理装置１００に搭載される制御部１０１（例えば「ＣＰＵ」）により、以下の処理が実行されることで実現される。
【００５７】
図６は、本実施形態に係るシート後端の整合処理を含むシート処理手順例を示すフローチャートである。なお、図６には、上位装置にあたる画像形成装置２００からシート処理装置１００に対してステープル処理が要求された場合の処理手順例が示されている。
【００５８】
また、以下の説明では、処理手順におけるシート処理装置１００の具体的な動作例についても、関連図面の図７から図１０を用いて説明する。図７は、本実施形態に係るシート後端を整合する動作例（その１）を示す図である。また、図８は、本実施形態に係る処理トレイ４がシートｓ１を積載する面（シート積載面）とシート端部を押さえる面（押さえ面５ｂ）との間の高さ（開放量）を可変する動作例を示す図である。また、図９は、本実施形態に係るシート後端を整合する動作例（その２）を示す図である。また、図１０は、本実施形態に係るシート処理の動作例を示す図である。
【００５９】
本実施形態に係るシート処理装置１００では、当該装置が有する制御部１０１により、画像形成装置２００が有する制御部２０１からシート情報（例えば「用紙の厚み」や「結束枚数」など）を取得した後（ステップＳ１）、シートｓの受け入れ準備が実行される。
【００６０】
制御部１０１は、受け入れ準備として、次のように駆動部１０３を制御する。制御部１０１は、排紙従動コロ３ｂの開口ソレノイド（非図示）をオンし（ステップＳ２）、排紙従動コロ３ｂを図１に示す位置まで上昇させる。続いて、制御部１０１は、搬送モータ（非図示）を駆動し（ステップＳ３）、搬送ローラ対１をシートｓの搬送方向に回転させる。また、制御部１０１は、シート寄せアーム２の駆動ソレノイド（非図示）をオンし（ステップＳ４）、シート寄せアーム２を図１に示す位置まで上昇させる。制御部１０１は、これらの制御が終了すると、画像形成装置２００が有する制御部２０１にシート搬送の許可信号を送信する（ステップＳ５）。その結果、画像形成装置２００は、シート処理装置１００に対してシートｓの搬送を開始する。
【００６１】
シート処理装置１００では、画像形成装置２００から搬送されたシートｓが、搬送ローラ対１（駆動ローラ及び従動ローラ）によって挟まれ、処理トレイ４上に搬送される。このとき、制御部１０１は、検知部１０２からの検知情報に基づき、次のように駆動部１０３を制御する。制御部１０１は、入口センサ８によりシート後端の通過を検出し、所定時間経過後（ステップＳ６：ＹＥＳ）、シート寄せアーム２の駆動ソレノイド（非図示）をオフする（ステップＳ７）。
【００６２】
これにより、シート処理装置１００では、図７（Ａ）に示すような動作が行われる。具体的には、シート寄せアーム２が自重で下降し、搬送されたシートｓ１の上面を押さえ、シートｓ１が処理トレイ４に当接される。
【００６３】
図６の説明に戻る。その後、制御部１０１は、画像形成装置２００が有する制御部２０１にシート搬送の禁止信号を送信し（ステップＳ８）、搬送モータ（非図示）を停止する（ステップＳ９）。
【００６４】
続いて、シート処理装置１００では、制御部１０１により、検知部１０２からの検知情報に基づく駆動制御を行うことで、図７（Ｂ）及び（Ｃ）に示すようなシート後端の整合処理が行われる。
【００６５】
図６の説明に戻る。制御部１０１は、まず、搬送されたシートｓが束の１枚目である場合（ステップＳ１０：ＹＥＳ）、制御部１０１が、シート積載面と押さえ面５ｂとの間の高さ（開放量）が所定の高さ［ｈ０］となるように制御モータ７を駆動する（ステップＳ１１）。また、制御部１０１は、シート寄せアーム２の先端ローラ２ａを反時計回りに所定量だけ回転させる（ステップＳ１２）。
【００６６】
その間、検知部１０２である後端高さ検知センサ１１では、シートｓ１が端部ストッパ５ａのシート端部当接面方向に移動することにより、シート後端の高さを検知する。その結果、制御部１０１には、後端高さ検知センサ１１から検知情報（シート後端の高さ：後端に生じたカール量）が渡される。
【００６７】
制御部１０１は、受け取った検知情報に基づき、シート積載面と押さえ面５ｂとの間の高さ（開放量）を可変制御する。
【００６８】
制御部１０１は、検知したシート後端の高さ［Ｈｃ］が所定の高さ［ｈ１］以下であるか否かを判定する（ステップＳ１３）。
【００６９】
制御部１０１は、検知したシート後端の高さ［Ｈｃ］が所定の高さ［ｈ１］以下であった場合（ステップＳ１３：ＹＥＳ）、シート積載面と押さえ面５ｂとの間の高さ（開放量）が［ｈ１］となるように、端部ストッパ５ａの制御モータ７を駆動する（ステップＳ１４）。これにより、シート処理装置１００では、端部ストッパ５ａの押さえ面５ｂが、高さ［ｈ０］から［ｈ１］に下降する。
【００７０】
また、制御部１０１は、検知したシート後端の高さ［Ｈｃ］が所定の高さ［ｈ１］より高かった場合（ステップＳ１３：ＮＯ）、検知したシート後端の高さ［Ｈｃ］が所定の高さ［ｈ２］以下であるか否かを判定する（ステップＳ２３）。
【００７１】
制御部１０１は、検知したシート後端の高さ［Ｈｃ］が所定の高さ［ｈ２］以下であった場合（ステップＳ２３：ＹＥＳ）、シート積載面と押さえ面５ｂとの間の高さ（開放量）が［ｈ２］となるように、端部ストッパ５ａの制御モータ７を駆動する（ステップＳ２４）。これにより、シート処理装置１００では、端部ストッパ５ａの押さえ面５ｂが、高さ［ｈ０］から［ｈ２］に下降する。
【００７２】
また、制御部１０１は、検知したシート後端の高さ［Ｈｃ］が所定の高さ［ｈ２］より高かった場合（ステップＳ２３：ＮＯ）、検知したシート後端の高さ［Ｈｃ］が所定の高さ［ｈ３］以下であるか否かを判定する（ステップＳ２５）。
【００７３】
制御部１０１は、検知したシート後端の高さ［Ｈｃ］が所定の高さ［ｈ３］以下であった場合（ステップＳ２５：ＹＥＳ）、シート積載面と押さえ面５ｂとの間の高さ（開放量）が［ｈ３］となるように、端部ストッパ５ａの制御モータ７を駆動する（ステップＳ２６）。これにより、シート処理装置１００では、端部ストッパ５ａの押さえ面５ｂが、高さ［ｈ０］から［ｈ３］に下降する。
【００７４】
なお、上記「所定の高さ［ｈ０］，［ｈ１］，［ｈ２］，［ｈ３］」とは、シート積載面と押さえ面５ｂとの間の高さ（開放量）を可変制御するために、予め段階的に設定しておいた複数の制御値である。また、所定の高さ［ｈ０］，［ｈ１］，［ｈ２］，［ｈ３］の大小関係は、［ｈ１］＜［ｈ２］＜［ｈ３］＜［ｈ０］である。
【００７５】
このように、シート処理装置１００では、１つの制御値（制御する基準の高さ）により端部ストッパ５ａの開放量を決定するのではなく、複数の制御値により、検知したシート後端の高さ（後端に生じたカール量）に応じて端部ストッパ５ａの開放量を可変する。
【００７６】
これにより、シート処理装置１００では、図７（Ｂ）に示すような動作が行われる。具体的には、シート積載面と押さえ面５ｂとの間に、シート後端に生じたカールが確実に挿入される。
【００７７】
図６の説明に戻る。その後、制御部１０１は、シート積載面と押さえ面５ｂとの間の高さ（開放量）が、式［ｈｓ＋ｘ×ｎ］の算出値となるように、端部ストッパ５ａの制御モータ７を駆動する（ステップＳ１５）。なお、上記［ｈｓ］は、０≦［ｈｓ］≦［ｈ１］に示す範囲の値であり、処理トレイ４に積載されたシート束を傷つけない、かつシート束が保持できる高さを示す値である。また、上記［ｘ］，［ｎ］は、ステップＳ１で取得したシート情報に基づく値である。［ｘ］は、用紙の厚みを示す値であり、［ｎ］は、結束枚数を示す値である。
【００７８】
これにより、シート処理装置１００では、図７（Ｃ）に示すような動作が行われる。具体的には、押さえ面５ｂが、式［ｈｓ＋ｘ×ｎ］の算出値の高さまで下降し、搬送されたシートｓ１の後端に生じたカールを挟み込む。つまり、シートｓの後端を高さ［ｈ１］以下で押さえる。このような高さに制御する理由は、カール抑制の他、シートｓを受け入れ後、後続シートを処理トレイ４に当接させる際、シートｓが乱れないようにシートｓを押さえるためである。
【００７９】
ここで、上述したシート後端の整合処理について、図８を用いて詳しく説明する。
押さえ面５ｂの高さ（シート積載面と押さえ面５ｂとの間の高さ（開放量））は、シート１枚目の後端の高さを検知する前、図８（Ａ）に示す高さ［ｈ０］に位置し、検知した高さ［Ｈｃ］に応じて可変する。なお、上記の処理例では、押さえ面５ｂの高さを３段階に可変しているが、この限りでない。段階数は、装置性能に応じて増減可能である。
【００８０】
次に、上述した３段階の可変制御を例に、押さえ面５ｂの制御値である高さ［ｈ１］，［ｈ２］，［ｈ３］と、後端高さ検知センサ１１の円盤１１ｂにおける高さ検知領域（スリット又は塗布した白黒の角度θｒ）の決定方法を、図８（Ｂ），（Ｃ），（Ｄ），（Ｅ）を用いて説明する。
【００８１】
《高さを制御する制御値の決定方法》
例えば、高さ［ｈ１］，［ｈ２］，［ｈ３］は、次のように決定する。まず、シート後端に生じることが予想されるカールの高さ（想定カール量）を、製品規格における最大の制御値、すなわち３段階の可変制御のうち最も最上位の高さ［ｈ３］とする。続いて、決定した高さ［ｈ３］に基づき、残りの段階にあたる制御値の高さ［ｈ２］，［ｈ１］を決定する。具体的には、高さ［ｈ２］は、式［ｈ３×（３／４）］、また、高さ［ｈ１］は、式［ｈ３×（１／２）］の算出値とする。これにより、高さ［ｈ１］，［ｈ２］，［ｈ３］には、上述したような大小関係が成立する。
【００８２】
《円盤における高さ検知分割領域（角度）の決定方法》
例えば、振り子１１ｄが回動する際の円盤１１ｂの回転角θは、式［ｃｏｓθ＝（Ｈ―Ｈｃ）／Ｈ］で表せる。これにより、各段階に対応する回転角θ１，θ２，θ３は、変数［Ｈｃ］に各段階における制御値の高さ［ｈ１］，［ｈ２］，［ｈ３］を代入し、軸１１ｃからシート積載面までの高さ［Ｈ］の値を決定することで算出できる。このとき、軸１１ｃからシート積載面までの高さ［Ｈ］の値は、シート後端に生じることが予想されるカールが円盤１１ｂに接触しないように、円盤１１ｂの大きさを考慮して、高さ［ｈ３］以上となるように決定する。
【００８３】
円盤１１ｂにおける高さ検知分割領域、すなわち円盤１１ｂにおけるスリット（又は塗布した白黒）の角度θrは、上記各段階に対応する回転角に基づき決定する。具体的には、角度θrは、条件［θ２−θ１＞θｒ］を満たす値とする。
【００８４】
このように、円盤１１ｂにおける高さ検知分割領域（角度θr）は、分割領域の範囲（角度θｒの値）を小さくすることで、可変制御における段階数を多くすることができる。
【００８５】
なお、上述したシート後端の整合処理では、シートｓに接触した部材（振り子１１ｄ）の動きを検知する後端高さ検知センサ１１を検知部１０２として用いた例を示したが、この限りでない。例えば、処理トレイ４の上部（円盤１１ｂの位置）に、シートｓとの距離に応じてアナログ信号を出力する反射型のセンサを備える後端高さ検知センサ１１を用いて、非接触でシート後端の高さを検知する方法であってもよい。
【００８６】
図６の説明に戻る。シート処理装置１００では、シートｓが束の２枚目以降の場合（ステップＳ１０：ＮＯ）、シート後端の高さ検知を行わず、制御部１０１による駆動制御を行うことで、図９（Ａ），（Ｂ），（Ｃ）に示すようなシート後端の整合処理が行われる。
【００８７】
制御部１０１は、後続となるシートｓ２が搬送され処理トレイ4上に載置されるまで、端部ストッパ５ａの制御モータ７を駆動する。
【００８８】
これにより、シート処理装置１００では、図９（Ａ）に示すような動作が行われる。具体的には、端部ストッパ５ａの押さえ面５ｂにより、すでに積載されたシートｓ１の端部を押さえる。
【００８９】
図６の説明に戻る。制御部１０１は、搬送モータ（非図示）を停止後、シート１枚目において決定したシート積載面と押さえ面５ｂとの間の高さ（開放量）に、端部ストッパ５ａの制御モータ７を駆動する。
【００９０】
制御部１０１は、シート１枚目で検知したシート後端の高さ［Ｈｃ］が所定の高さ［ｈ１］以下であるか否かを判定する（ステップＳ１７）。
【００９１】
制御部１０１は、検知したシート後端の高さ［Ｈｃ］が所定の高さ［ｈ１］以下であった場合（ステップＳ１７：ＹＥＳ）、シート積載面と押さえ面５ｂとの間の高さ（開放量）が、式［ｈ１＋ｘ×ｎ］の算出値となるように、端部ストッパ５ａの制御モータ７を駆動する（ステップＳ１８）。これにより、シート処理装置１００では、端部ストッパ５ａの押さえ面５ｂが、式［ｈｓ＋ｘ×ｎ］の算出値の高さから、式［ｈ１＋ｘ×ｎ］の算出値の高さに上昇する。
【００９２】
また、制御部１０１は、シート１枚目で検知したシート後端の高さ［Ｈｃ］が所定の高さ［ｈ１］より高かった場合（ステップＳ１７：ＮＯ）、検知したシート後端の高さ［Ｈｃ］が所定の高さ［ｈ２］以下であるか否かを判定する（ステップＳ１９）。
【００９３】
制御部１０１は、検知したシート後端の高さ［Ｈｃ］が所定の高さ［ｈ２］以下であった場合（ステップＳ１９：ＹＥＳ）、シート積載面と押さえ面５ｂとの間の高さ（開放量）が、式［ｈ２＋ｘ×ｎ］の算出値となるように、端部ストッパ５ａの制御モータ７を駆動する（ステップＳ２０）。これにより、シート処理装置１００では、端部ストッパ５ａの押さえ面５ｂが、式［ｈｓ＋ｘ×ｎ］の算出値の高さから、式［ｈ２＋ｘ×ｎ］の算出値の高さに上昇する。
【００９４】
また、制御部１０１は、シート１枚目で検知したシート後端の高さ［Ｈｃ］が所定の高さ［ｈ２］より高かった場合（ステップＳ１９：ＮＯ）、シート積載面と押さえ面５ｂとの間の高さ（開放量）が、式［ｈ３＋ｘ×ｎ］の算出値となるように、端部ストッパ５ａの制御モータ７を駆動する（ステップＳ２１）。これにより、シート処理装置１００では、端部ストッパ５ａの押さえ面５ｂが、式［ｈｓ＋ｘ×ｎ］の算出値の高さから、式［ｈ３＋ｘ×ｎ］の算出値の高さに上昇する。
【００９５】
このように、シート処理装置１００では、シート１枚目におけるシート後端の高さ［Ｈｃ］により決定した端部ストッパ５ａの開放量を維持しつつ、枚数に応じて開放量を可変する。
【００９６】
これにより、シート処理装置１００では、図９（Ｂ）に示すような動作が行われる。具体的には、シート積載面と押さえ面５ｂとの間に、後続のシートＳ２の後端に生じたカールが確実に挿入される。
【００９７】
図６の説明に戻る。その後、制御部１０１は、シート寄せアーム２の先端ローラ２ａを反時計回りに所定量だけ回転させ（ステップＳ２２）停止させた後、ステップＳ１５の処理を実行する。
【００９８】
これにより、シート処理装置１００では、図９（Ｃ）に示すような動作が行われる。具体的には、押さえ面５ｂが、式［ｈｓ＋ｘ×ｎ］の算出値の高さまで下降し、搬送されたシートｓ２の後端に生じたカールを挟み込む。
【００９９】
図６の説明に戻る。制御部１０１は、後端整合対象のシートｓが１束の最終シートでない場合（ステップＳ１６：ＮＯ）、後続シートを搬送するために、ステップＳ３の処理に戻り、上述した処理を繰り返す。
【０１００】
一方、制御部１０１は、後端整合対象のシートｓが１束の最終シートであった場合（ステップＳ１６：ＹＥＳ）、次のように駆動部１０３を制御し、ステープル処理（シート処理）を行う。
【０１０１】
制御部１０１は、シート後端が整合されたシート束を端部ストッパ５ａの押さえ面５ｂが押さえたままの状態となるように、制御モータ７を駆動し、ステープラ（非図示）に対して、シート束への結束（ステープル）を指示する（ステップＳ１００）。
【０１０２】
その後、制御部１０１は、シート寄せアーム２の駆動ソレノイド（非図示）をオンし（ステップＳ１０１）、シート寄せアーム２を上昇させ、排紙従動コロ３ｂの開口ソレノイド（非図示）をオフし（ステップＳ１０２）、排紙従動コロ３ｂを下降させる。
【０１０３】
続いて、制御部１０１は、端部ストッパ５ａの制御モータ７を駆動し（ステップＳ１０３）、端部ストッパ５ａを元の位置（最上位）へ上昇させるとともに、排紙モータ（非図示）を駆動し（ステップＳ１０４）、排紙ローラ３ａと排紙従動コロ３ｂに挟まれたシート束（ステープル後のシート束）を排紙トレイ９に搬送する。
【０１０４】
また、制御部１０１は、排紙したシート束が画像形成装置２００から要求された最終束であるか否かを判定する（ステップＳ１０５）。
【０１０５】
制御部１０１は、排紙したシート束が要求された最終束であった場合（ステップＳ１０５：ＹＥＳ）、シート寄せアーム２の駆動ソレノイド（非図示）をオフし（ステップＳ１０６）、シート寄せアーム２を下降させ、排紙モータ（非図示）を停止する（ステップＳ１０７）。
【０１０６】
一方、制御部１０１は、排紙したシート束が要求された最終束でなかった場合（ステップＳ１０５：ＮＯ）、ステップＳ２の処理に戻り、上述した処理を繰り返す。
【０１０７】
このように、シート処理装置１００では、図１０に示すような動作が行われ、要求されたシート処理後のシート束ｓｎが排紙される。
【０１０８】
図６の説明に戻る。また、制御部１０１は、検知したシート後端の高さ［Ｈｃ］が所定の高さ［ｈ３］より高かった場合（ステップＳ２５：ＮＯ）、シート後端の高さが製品規格を超えている（異常）と判断し、次のように駆動部１０３を制御し、終了処理を行う。
【０１０９】
制御部１０１は、画像形成装置２００が有する制御部２０１に、異常が発生した旨の通知情報を送信する（ステップＳ２００）。
【０１１０】
その後、制御部１０１は、シート寄せアーム２の駆動ソレノイド（非図示）をオンし（ステップＳ２０１）、シート寄せアーム２を上昇させ、排紙従動コロ３ｂの開口ソレノイド（非図示）をオフし（ステップＳ２０２）、排紙従動コロ３ｂを下降させる。
【０１１１】
続いて、制御部１０１は、端部ストッパ５ａの制御モータ７を駆動し（ステップＳ２０３）、端部ストッパ５ａを元の位置（最上位）へ上昇させるとともに、排紙モータ（非図示）を駆動し（ステップＳ２０４）、排紙ローラ３ａと排紙従動コロ３ｂに挟まれたシート束ｓｎを排紙トレイ９に搬送する。
【０１１２】
続いて、制御部１０１は、シート寄せアーム２の駆動ソレノイド（非図示）をオフし（ステップＳ２０５）、シート寄せアーム２を下降させ、排紙モータ（非図示）を停止する（ステップＳ２０６）。
【０１１３】
＜まとめ＞
以上のように、本実施形態に係るシート処理装置１００によれば、検知部１０２（後端高さ検知手段）により、シート後端のカール量を検知する。シート処理装置１００は、制御部１０１により、検知情報に基づき、処理トレイ４に積載されるシート端部が当接する面（シート端部当接面）とシート端部を押さえる押さえ面５ｂとを備えた端部ストッパ５ａ（端部整合手段）を、処理トレイ４のシート積載面に対して垂直に移動させ（上下動させ）、シート積載面と端部ストッパ５ａの押さえ面５ｂとの間の高さ（開放量）を可変制御する。
【０１１４】
これによって、シート処理装置１００は、精度よくシート後端を揃えることができる。
【０１１５】
最後に、上記実施形態に挙げた形状や構成に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【符号の説明】
【０１１６】
１      搬送ローラ対
２      シート寄せアーム（ａ：先端ローラ，ｂ：支持軸）
３      ａ：排紙ローラ，ｂ：排紙従動コロ
４      処理トレイ
５      ａ：端部ストッパ，ｂ：押さえ面
６      押圧部材
７      制御モータ（ａ：ギヤ）
８      入口センサ
９      排紙トレイ
１０    側部揃え部材
１１    後端高さ検知センサ（ａ：センサ，ｂ：円盤，ｃ：軸，ｄ：振り子，ｅ：ストッパ）
１２    軸（ａ：ギヤ）
１００  シート処理装置
１０１  制御部（ＣＰＵ：中央処理装置）
１０２  検知部
１０３  駆動部
２００  画像形成装置
２０１  制御部（コントローラ：ＣＰＵ搭載の制御基板）
ｓ      シート
ｓｎ    シート束
【先行技術文献】
【特許文献】
【０１１７】
【特許文献１】特開２００５−２２８３３号公報
【図１】
2011093632.tif 000003
【図２】
2011093632.tif 000004
【図３】
2011093632.tif 000005
【図４】
2011093632.tif 000006
【図５】
2011093632.tif 000007
【図６】
2011093632.tif 000008
【図７】
2011093632.tif 000009
【図８】
2011093632.tif 000010
【図９】
2011093632.tif 000011
【図１０】
2011093632.tif 000012